(57)【要約】【課題】機器取付スペースを広く利用できる電気電子機器収納用箱のアース端子構造を提供する。【解決手段】前面開口部１ａを扉３により開閉する四角形状の箱本体１内のコーナ部１０に設置したアース端子２の端子面２０を箱本体１の何れの面とも傾斜させた面として前記前面開口部１ａに臨むものとする。また、アース端子２の端子面２０を前面開口部の近傍に設けることが好ましい。【選択図】  図１
2008199863.tif 000002
【特許請求の範囲】
【請求項１】
前面開口部を扉により開閉する四角形状の箱本体内のコーナ部に設置したアース端子の端子面を箱本体の何れの面とも傾斜させた面として前記前面開口部に臨むものとした電気電子機器収納用箱のアース端子構造。
【請求項２】
アース端子の端子面を前面開口部の近傍に設けた請求項１に記載の電気電子機器収納用箱のアース端子構造。
【発明の詳細な説明】
【技術分野】
【０００１】
本発明は、電気・電子機器類を収納した電気電子機器収納用箱に取り付けてアースを行うための電気電子機器収納用箱のアース端子構造関するものである。
【背景技術】
【０００２】
従来の電気電子機器収納用箱のアース端子構造は、電気・電子機器類の取付スペースを確保するため、図２４に示すようにアース端子２００を箱本体３００の背板部３０１に取り付けたものを普通とする（例えば、特許文献１参照）。ところが、これは箱本体３００の背板部３０１に取り付けられているため、機器取付スペース３０２が狭くなるという問題があった。
【０００３】
また、箱本体の背板部に設けた機器取付板の隅部にアース端子を設けたものもある（特許文献２参照）。しかし、アース端子の分の機器取付板の大きさが小さくなり、機器取付スペースが狭くなるという問題があった。
【０００４】
【特許文献１】実開平５−６０１０９公報（図１参照）
【特許文献２】特開２００３−３３２７６５公報（図３、図４参照）
【発明の開示】
【発明が解決しようとする課題】
【０００５】
本発明は前記のような問題点を解決して、機器取付スペースを広く利用できる電気電子機器収納用箱のアース端子構造を提供することを目的として完成されたものである。
【課題を解決するための手段】
【０００６】
本発明の電気電子機器収納用箱のアース端子構造は、前面開口部を扉により開閉する四角形状の箱本体内のコーナ部に設置したアース端子の端子面を箱本体の何れの面とも傾斜させた面として前記前面開口部に臨むものとしたものを基本の発明とする。そして、この発明において、アース端子の端子面を前面開口部の近傍に設けることが好ましいものである。
【発明の効果】
【０００７】
前記のような本発明は、アース端子の端子面を機器取付スペースとしては有効に利用できない箱本体内のコーナ部に設置したのでその分機器取付スペースを広く利用できるものである。また、該端子面が箱本体の何れの面とも傾斜させた面となるようにして前記前面開口部に臨むものとしたので、端子面は箱本体の前面開口部の中央付近を向くものであるから、作業スペースが充分にとれて接続作業が容易となる。
【０００８】
また、アース端子を前面開口部の近傍に設けたものとすると、作業スペースが前面開口部の前面である箱本体の外部となるので接続作業がより容易となるものである。
【発明を実施するための最良の形態】
【０００９】
次に、本発明の好ましい実施の形態を図を参照して説明する。
１は前面開口部１ａを扉により開閉する四角形状の箱本体である。２はアース端子であり、該アース端子２の端子面２０は前記箱本体１内のコーナ部１０すなわち右側面１２と下面１４とのコーナ部１０ａに設置されている。そして、前記端子面２０は箱本体１の何れの面すなわち左右側面１１、１２、上下面１３、１４及び背面１５と傾斜させた面として前記前面開口部１ａに臨むものとしている。なお、アース端子２の端子面２０を設置するコーナ部１０は左側面１２と上面１３、左側面１１と下面１４及び右側面１２と上面１３とのいずれのコーナ部であってもよい。
【００１０】
このように、アース端子２の端子面２０を機器取付スペースとしては有効に利用できない箱本体１内のコーナ部１０に設置したのでその分機器取付スペースを広く利用できるものである。そして、端子面２０が箱本体１の何れの面とも傾斜させた面として前記前面開口部１ａに臨むものとしたので、端子面２０は箱本体１の前面開口部１ａの中央付近を向くものであるから、端子面２０に形成した雌ねじ部２１に端子ねじ２２を螺合してアース線を接続する場合に作業スペースが充分に確保でき接続作業が容易なものである。
【００１１】
また、前記アース端子２は図示のように箱本体１の前面開口部１ａの近傍に設けたものとしている。このような構成を採用した場合には、作業スペースが前面開口部１ａの外側となり機器収納空間を圧迫しないうえ接続作業がより容易に行うことができるものである。
【００１２】
次に、アース端子２の具体例を説明する。
先ず、図１、図２及び図３に示す第１の実施例にあっては、アース端子２は２枚の脚辺部２３ａ、２３ａを９０度の角度で連設して形成した取付片部２３の一方の脚辺部２３ａの先端に端子面２０を折曲形成したものである。そして、脚辺部２３ａ、２３ａを箱本体１内のコーナ部１０（１０ａ）の右側面１２と下面１４に溶接により取り付けて、端子面２０を箱本体１の何れの面すなわち左右側面１１、１２、上下面１３、１４及び背面１５と傾斜させて設置したものである。なお、脚辺部２３ａ、２３ａは右側面１２または下面１４のどちらか一方への溶接でもよい。
【００１３】
次に、図４及び図５に示す第２の実施例にあっては、アース端子２は箱本体１の前面開口部１ａの周枠部１６の張出片部１６ａに溶接する取付片部２３の後方に折曲して連設した接続片２４の先端に端子面２０を折曲形成したものである。そして、端子面２０を箱本体１の何れの面すなわち左右側面１１、１２、上下面１３、１４及び背面１５と傾斜させた面となるように設置したものである。
【００１４】
続いて、図６及び図７に示す第３の実施例にあっては、アース端子２は箱本体１の前面開口部１ａの内側の下面１４のコーナ部１０（１０ａ）よりの個所に溶接により取り付けた取付片部２３の先端に端子面２０を折曲形成したもので、端子面２０を箱本体１の何れの面すなわち左右側面１１、１２、上下面１３、１４及び背面１５と傾斜させた面となるように設置したものである。
【００１５】
また、図８及び図９に示す第４の実施例にあっては、アース端子２は箱本体１の前面開口部１ａの周枠部１６の下枠部の張出片部１６ａに溶接する取付片部２３の後方に折曲して連設した接続片２４の先端に端子面２０を折曲形成し、さらに、端子面２０の上端に後に向け下面に支持される補助脚部２６を連設したものである。そして、端子面２０を箱本体１の何れの面すなわち左右側面１１、１２、上下面１３、１４及び背面１５と傾斜させた面となるように設置したものである。
【００１６】
また、図１０及び図１１に示す第５の実施例にあっては、アース端子２は箱本体１の前面開口部１ａの周枠部１６の下枠部の内面に溶接する取付片部２３の後方に折曲して連設した接続片の先端に端子面２０を折曲形成し、さらに、端子面２０の上端に後に向け下面に支持される補助脚部２６を連設したものである。そして、端子面２０を箱本体１の何れの面すなわち左右側面１１、１２、上下面１３、１４及び背面１５と傾斜させた面となるように設置したものである。
【００１７】
なお、前記箱本体１の前面開口部１ａを開閉する扉３は、図１２に示すように蝶番４と反対側の鎖錠をねじ固定装置５により行うものとしている。すなわち、このねじ固定装置５は図１３〜図１７に示すように箱本体１の前面開口部１ａの周縁枠部１６に設けた取付孔１７にナット５１を着脱自在に保持させた合成樹脂製ホルダー５０を取り付けて、該ナット５１に扉３に保持させた雄ねじ５３を螺合させて鎖錠を行うものである。
【００１８】
このようにナット５１を合成樹脂製ホルダー５０に保持させて取り付けることにより、箱本体１に直接ナットを嵌め合わせたりした場合の傷が付くという虞もなく、また、溶接するのに比べて容易に取り付けできるものである。
【００１９】
また、この場合に図１８、図１９に示すように合成樹脂製ホルダー５０に戸当たり部５５を一体に設けたものとして、合成樹脂製ホルダー５０を取り付けた際に自動的に戸当たり部５５が取り付けられるものとしてもよい。
【００２０】
また、箱本体１は図２０に示すように屋外用の庇６付きのものであってもよい。この場合に箱本体１に設けた製造時において電着塗装や溶融亜鉛めっき塗装の際にエアを逃がすために設けたエア抜き孔７を屋外において雨水の浸入防止のためシール部材８によりシールするものとしている。このシール部材８に図２１、２２に示すような、取付孔９の両側孔縁に係止する係止爪８１、８１を設けたシール本体８０の内面に該係止爪８１、８１を挿通できる孔部８２ａを形成したゴム材料等の弾性のあるパッキン８２を添装して、該パッキン８２を圧縮させて図２３のようにシール本体８０とエア抜き孔７との間を完全に密封して雨水の浸入防止するものとしている。。
【図面の簡単な説明】
【００２１】
【図１】本発明の第１の実施例を示す斜視図。
【図２】本発明の第１の実施例の要部を示す斜視図。
【図３】本発明の第１の実施例に使用するアース端子を示す斜視図。
【図４】本発明の第２の実施例を示す斜視図。
【図５】本発明の第２の実施例の要部を示す斜視図。
【図６】本発明の第３の実施例を示す斜視図。
【図７】本発明の第３の実施例の要部を示す斜視図。
【図８】本発明の第４の実施例を示す斜視図。
【図９】本発明の第４の実施例の要部を示す斜視図。
【図１０】本発明の第５の実施例を示す斜視図。
【図１１】本発明の第５の実施例の要部を示す斜視図。
【図１２】本発明の箱本体を扉で閉じた状態を示す斜視図。
【図１３】ねじ固定装置により扉を鎖錠した状態を示す要部断面図。
【図１４】箱本体に合成樹脂製ホルダーを取り付けた状態を示す斜視図。
【図１５】箱本体に合成樹脂製ホルダーを取り付ける過程を示す斜視図。
【図１６】合成樹脂製ホルダーとナットを示す斜視図。
【図１７】ナットを保持させた合成樹脂製ホルダーを示す斜視図。
【図１８】箱本体に戸当たり付きの合成樹脂製ホルダーを取り付けた状態を示す斜視図。
【図１９】箱本体に戸当たり付きの合成樹脂製ホルダーを取り付ける過程を示す斜視図。
【図２０】屋外用の庇付き箱本体を示す斜視図。
【図２１】シール部材を正面側から示す斜視図。
【図２２】シール部材を背面側から示す斜視図。
【図２３】シール部材でエア抜き孔をシールした屋外用の庇付き箱本体を示す斜視図。
【図２４】従来例を示す斜視図。
【符号の説明】
【００２２】
１  箱本体
1a  前面開口部
10  コーナ部
２  アース端子
20  端子面
【図１】
2008199863.tif 000003
【図２】
2008199863.tif 000004
【図３】
2008199863.tif 000005
【図４】
2008199863.tif 000006
【図５】
2008199863.tif 000007
【図６】
2008199863.tif 000008
【図７】
2008199863.tif 000009
【図８】
2008199863.tif 000010
【図９】
2008199863.tif 000011
【図１０】
2008199863.tif 000012
【図１１】
2008199863.tif 000013
【図１２】
2008199863.tif 000014
【図１３】
2008199863.tif 000015
【図１４】
2008199863.tif 000016
【図１５】
2008199863.tif 000017
【図１６】
2008199863.tif 000018
【図１７】
2008199863.tif 000019
【図１８】
2008199863.tif 000020
【図１９】
2008199863.tif 000021
【図２０】
2008199863.tif 000022
【図２１】
2008199863.tif 000023
【図２２】
2008199863.tif 000024
【図２３】
2008199863.tif 000025
【図２４】
2008199863.tif 000026